(57)【要約】  口腔洗浄装置は、使用者の歯が挿入されることができる挿入溝と、挿入溝の内壁に位置する複数の噴射孔及び複数の吸入孔とを含む胴部と、複数の噴射孔に洗浄液を供給する給水管と、洗浄液が複数の吸入孔を介して外部に排出される排水管と、洗浄液の噴射方向と吸入方向を変換する変換部材とを含み、胴部は、複数の噴射孔と連通される第１の内部空間と、複数の吸入孔と連通される第２の内部空間とを含む。
2017506138.tif 000002
【特許請求の範囲】
【請求項１】
使用者の歯が挿入されることができる挿入溝と、前記挿入溝の内壁に位置する複数の噴射孔及び複数の吸入孔とを含む胴部と、
前記複数の噴射孔に洗浄液を供給する給水管と、
前記洗浄液が前記複数の吸入孔を介して外部に排出される排水管と、
前記洗浄液の噴射方向と吸入方向を変換する変換部材とを含み、
前記胴部は、前記複数の噴射孔と連通される第１の内部空間と、前記複数の吸入孔と連通される第２の内部空間とを含む口腔洗浄装置。
【請求項２】
前記挿入溝の入口の縁から突出して、使用者の歯肉に密着するシーリング部材をさらに含む、請求項１に記載の口腔洗浄装置。
【請求項３】
前記給水管は、第１の給水管及び第２の給水管を含み、前記排水管は、第１の排水管及び第２の排水管を含み、前記変換部材は、前記第１の給水管と前記第１の排水管、又は前記第２の給水管と前記第２の排水管を選択的に開閉させる、請求項１に記載の口腔洗浄装置。
【請求項４】
前記変換部材は、前記給水管及び前記排水管と前記供給管及び前記排出管との間に位置し、前記第１の給水管と前記第１の排水管は開放させ前記第２の給水管と前記第２の排水管は閉鎖させるか、又は、前記第２の給水管と前記第２の排水管は開放させ前記第１の給水管と前記第１の排水管は閉鎖させる、請求項３に記載の口腔洗浄装置。
【請求項５】
前記変換部材は、自転軸を中心に自転し、前記自転軸を中心に互いに対向する地点に一対の流路孔が備えられ、回転角度に応じて前記第１の給水管と前記第１の排水管は開放させ前記第２の給水管と前記第２の排水管は閉鎖させるか、又は、前記第２の給水管と前記第２の排水管は開放させ前記第１の給水管と前記第１の排水管は閉鎖させる、請求項４に記載の口腔洗浄装置。
【請求項６】
前記複数の噴射孔は、前記挿入溝の内壁において歯の外側面に対応する側と歯の内側面に対応する側のいずれか一方に位置し、前記複数の吸入孔は、前記挿入溝の内壁において歯の外側面に対応する側と歯の内側面に対応する側のいずれか他方に位置する、請求項１に記載の口腔洗浄装置。
【請求項７】
前記複数の噴射孔は、前記挿入溝の内壁において歯の外側面に対応する側と歯の内側面に対応する側にそれぞれ位置し、前記複数の吸入孔は、前記挿入溝の底面に位置する、請求項１に記載の口腔洗浄装置。
【請求項８】
前記挿入溝の底面に位置する弾性部材をさらに含む、請求項１に記載の口腔洗浄装置。
【請求項９】
前記給水管及び前記排水管の外側端に組み込まれる第１のコネクタと、前記第１のコネクタと着脱可能な構造で結合される第２のコネクタと、一側端が前記第２のコネクタに組み込まれ、前記給水管と連通される供給管と、一側端が前記第２のコネクタに組み込まれ、排水管と連通される排出管とをさらに含む、請求項１に記載の口腔洗浄装置。
【請求項１０】
前記給水管から供給される洗浄液に気泡が含まれる、請求項１に記載の口腔洗浄装置。
【請求項１１】
前記挿入溝の内壁に取り付けられ、使用者の歯に向かって延長される複数の流動部材をさらに含む、請求項１に記載の口腔洗浄装置。
【請求項１２】
前記挿入溝は、使用者の上歯が挿入される上側挿入溝と、使用者の下歯が挿入される下側挿入溝とを含む、請求項１に記載の口腔洗浄装置。
【請求項１３】
前記挿入溝の底面に組み込まれ、使用者が歯で噛む力を測定した後に信号を発生させる圧力感知センサと、前記排水管の内部流路に真空圧を発生させ、圧力感知センサから発生する信号に応じて真空圧の大きさを増減させる空気圧縮機とをさらに含む、請求項１に記載の口腔洗浄装置。
【発明の詳細な説明】
【技術分野】
【０００１】
口腔洗浄装置が提供される。
【背景技術】
【０００２】
歯や口腔に存在する食べかすは時間が経つにつれて腐敗し、臭い口臭を発生させたり、虫歯や歯肉病のような種々の口腔疾患の原因となる。健康な歯と口腔状態を維持するためには、頻繁に歯磨きをし、口腔洗浄剤などを使って口の中を濯ぐことで、口腔を常に清潔にすることが良い。
【０００３】
一般に、歯の洗浄には歯ブラシとフロスを使う。しかしながら、歯ブラシとフロスを用いる方法だけでは、歯の間に挟まった食べかすを完全に取り除くことができず、歯ブラシとフロスの無理な使用は歯肉や歯周を損傷させる恐れがある。
【０００４】
そのため、近来は、洗浄水を噴射して口腔を洗浄する口腔洗浄装置が様々な構造で提案されている。従来の口腔洗浄装置は、水や殺菌性洗浄液を高圧で噴射して口腔や歯の間に挟まった異物を取り除く装置であり、洗浄液を収容する容器、噴射ノズル、容器の洗浄液を噴射ノズルに供給するポンプなどを含む。
【０００５】
しかしながら、従来の口腔洗浄装置は、噴射ノズルから洗浄液を噴射するように構成されており、洗浄液が口腔の外部に飛散することがあるため、浴室といった制限された場所に限って使用できる。もっとも、口を閉じて洗浄液が外部に飛散しないようにすることもできるが、この場合、口腔を洗浄した洗浄液が口内に溜まるようになり、周期的に洗浄液を吐き出さなければならないという不具合があった。また、従来の口腔洗浄装置は、洗浄過程で洗浄液が使用者の口腔内に蓄積されるため、長時間の洗浄は困難であった。
【０００６】
さらに、従来の口腔洗浄装置を用いて口腔を洗浄する場合、歯の間に挟まっていた食べかすを歯の間から取り除くことはできるが、口腔の外部には自動排出されないため、使用上の不具合があった。
【発明の概要】
【発明が解決しようとする課題】
【０００７】
本発明の一実施例は、歯及び歯肉の食べかすを綺麗に取り除くためのものである。
【０００８】
本発明の一実施例は、洗浄液が外部に飛散することを減らし、使用場所を制限することなく、簡便に歯及び口腔を洗浄するためのものである。
【０００９】
本発明の一実施例は、歯及び歯肉の食べかすを効果的に洗浄するためのものである。
【００１０】
上記課題の他に、具体的に言及されていない他の課題を達成するにあたり、本発明に係る実施例が使用されることができる。
【課題を解決するための手段】
【００１１】
本発明の一実施例に係る口腔洗浄装置は、使用者の歯が挿入されることができる挿入溝と、挿入溝の内壁に位置する複数の噴射孔及び複数の吸入孔とを含む胴部と、複数の噴射孔に洗浄液を供給する給水管と、洗浄液が複数の吸入孔を介して外部に排出される排水管と、洗浄液の噴射方向と吸入方向を変換する変換部材とを含み、胴部は、複数の噴射孔と連通される第１の内部空間と、複数の吸入孔と連通される第２の内部空間とを含む。
【００１２】
口腔洗浄装置は、挿入溝の入口の縁から突出して、使用者の歯肉に密着するシーリング部材をさらに含むことができる。
【００１３】
給水管は、第１の給水管及び第２の給水管を含むことができ、排水管は、第１の排水管及び第２の排水管を含むことができ、変換部材は、第１の給水管と第１の排水管、又は第２の給水管と第２の排水管を選択的に開閉させることができる。
【００１４】
変換部材は、給水管及び排水管と供給管及び排出管との間に位置し、第１の給水管と第１の排水管は開放させ第２の給水管と第２の排水管は閉鎖させるか、又は、第２の給水管と第２の排水管は開放させ第１の給水管と第１の排水管は閉鎖させることができる。
【００１５】
変換部材は、自転軸を基準に自転し、自転軸を中心に互いに対向する地点に一対の流路孔が備えられ、回転角度に応じて第１の給水管と第１の排水管は開放させ第２の給水管と第２の排水管は閉鎖させるか、又は、第２の給水管と第２の排水管は開放させ第１の給水管と第１の排水管は閉鎖させることができる。
【００１６】
複数の噴射孔は、挿入溝の内壁において歯の外側面に対応する側と歯の内側面に対応する側のいずれか一方に位置し、複数の吸入孔は、挿入溝の内壁において歯の外側面に対応する側と歯の内側面に対応する側のいずれか他方に位置することができる。
【００１７】
複数の噴射孔は、挿入溝の内壁において歯の外側面に対応する側と歯の内側面に対応する側にそれぞれ位置し、複数の吸入孔は、挿入溝の底面に位置することができる。
【００１８】
口腔洗浄装置は、挿入溝の底面に位置する弾性部材をさらに含むことができる。
【００１９】
口腔洗浄装置は、給水管及び排水管の外側端に組み込まれる第１のコネクタと、第１のコネクタと着脱可能な構造で結合される第２のコネクタと、一側端が第２のコネクタに組み込まれ、給水管と連通される供給管と、一側端が第２のコネクタに組み込まれ、排水管と連通される排出管とをさらに含むことができる。
【００２０】
給水管から供給される洗浄液に気泡が含まれることができる。
【００２１】
口腔洗浄装置は、挿入溝の内壁に取り付けられ、使用者の歯に向かって延長される複数の流動部材をさらに含むことができる。
【００２２】
挿入溝は、使用者の上歯が挿入される上側挿入溝と、使用者の下歯が挿入される下側挿入溝とを含むことができる。
【００２３】
口腔洗浄装置は、挿入溝の底面に組み込まれ、使用者が歯で噛む力を測定した後に信号を発生させる圧力感知センサと、排水管の内部流路に真空圧を発生させ、圧力感知センサから発生する信号に応じて真空圧の大きさを増減させる空気圧縮機とをさらに含むことができる。
【発明の効果】
【００２４】
本発明の一実施例は、歯及び歯肉の食べかすを綺麗に取り除くことができ、洗浄液が外部に飛散することを減らし、使用場所を制限することなく簡便に歯及び口腔を洗浄することができ、歯及び歯肉の食べかすを効果的に洗浄するためのものである。
【図面の簡単な説明】
【００２５】
【図１】一実施例に係る口腔洗浄装置の斜視図である。
【図２】一実施例に係る口腔洗浄装置の正面図である。
【図３】一実施例に係る口腔洗浄装置の水平断面図である。
【図４】一実施例に係る口腔洗浄装置の側面図である。
【図５】一実施例に係る口腔洗浄装置において、前歯が挿入される部位の垂直断面図である。
【図６】一実施例に係る口腔洗浄装置において、臼歯が挿入される部位の垂直断面図である。
【図７】一実施例に係る口腔洗浄装置において、臼歯が挿入される部位の垂直断面図である。
【図８】一実施例に係る口腔洗浄装置において、臼歯が挿入される部位の部分垂直断面図である。
【図９】一実施例に係る口腔洗浄装置の概略図である。
【図１０】一実施例に係る口腔洗浄装置の斜視図である。
【図１１】一実施例に係る口腔洗浄装置の水平断面図である。
【図１２】一実施例に係る口腔洗浄装置において、前歯が挿入される真ん中の部位の垂直断面図である。
【発明を実施するための形態】
【００２６】
添付の図面を参考し、本発明の実施例について本発明が属する技術分野における通常の知識を有する者が容易に実施できるように詳細に説明する。本発明は、様々な異なる形態で具現されることができ、ここで説明する実施例に限定されるものではない。図面において、本発明を明確に説明するために説明と関係ない部分は省略し、明細書全般にわたって同一又は類似した構成要素には同一の図面符号が使用された。また、広く知られている公知技術の場合、その具体的な説明は省略する。
【００２７】
明細書全般にわたって、ある部分がある構成要素を「含む」とするとき、これは別段の定めがない限り、他の構成要素を除外するものではなく、他の構成要素をさらに含むことができることを意味する。
【００２８】
以下、添付の図面を参照して、口腔洗浄装置を詳細に説明する。
【００２９】
図１は、一実施例に係る口腔洗浄装置の斜視図であり、図２は、一実施例に係る口腔洗浄装置の正面図であり、図３は、一実施例に係る口腔洗浄装置の水平断面図であり、図４は、一実施例に係る口腔洗浄装置の側面図である。
【００３０】
口腔洗浄装置は、使用者が歯で噛むことができるようにマウスピース型であっても良い。口腔洗浄装置は、歯に向かって洗浄液を噴射して歯及び口腔を洗浄する。
【００３１】
口腔洗浄装置の内部に真空圧を形成し、洗浄液を吸い込んで強い流れが流れるようにすることができ、これにより、歯及び歯肉を綺麗に洗浄することができる。また、口腔洗浄装置は、食べかすが含まれた洗浄液が真空圧により装置の外部に排出される構成を含むことができ、洗浄液が外部に飛散することを減らすことができ、使用場所が制限されることなく簡便に歯及び口腔を洗浄することができる。さらに、口腔洗浄装置は、洗浄液の噴射方向と吸入方向を変更する構成を含むことができ、歯及び歯肉の食べかすを効果的に洗浄することができる。
【００３２】
口腔洗浄装置は、使用者が歯で噛む胴部１００と、胴部１００に連結されて洗浄液が供給される給水管２００と、洗浄液が排出される排水管３００とを含む。
【００３３】
胴部１００は、使用者の歯が挿入されることができる挿入溝１１０を含み、全体として、マウスピースと類似した形態を有することができる。胴部１００は、歯の外側面に対応する側の挿入溝１１０の内壁に形成される複数の噴射孔１２０と、歯の内側面に対応する側の挿入溝１１０の内壁に形成される複数の吸入孔１３０とを含む。給水管２００は、胴部１００に連結されており、挿入溝１１０の内壁に位置する噴射孔１２０に洗浄液を供給する。排水管３００は、胴部１００に連結されており、挿入溝１１０の内壁に位置する吸入孔１３０を介して挿入溝１１０内の洗浄液を外部に排出する。
【００３４】
そのため、噴射孔１２０を介して噴射された洗浄液が、歯の溝、歯、歯の間の空間、歯肉などを打ちつけることで、口腔を洗浄することができる。口腔洗浄後に、挿入溝１１０に溜まる洗浄液が吸入孔１３０を介して外部に排出されるため、洗浄液が外部に飛散することを減らすことができ、よって、病室や寝室などの場所でも口腔洗浄が可能となる。また、洗浄を終えた洗浄液が即排出されるため、使用者の口腔内に洗浄液が蓄積されず、よって、長時間の連続的な口腔洗浄が可能となる。
【００３５】
供給管５００は、給水管２００に洗浄液を供給し、排出管６００は、排水管３００を介して流出される洗浄液を外部に排出させる。給水管２００及び排水管３００は、別途のコネクタ４００により供給管５００及び排出管６００と着脱可能な構造で連結されることができる。この場合、供給管５００が給水管２００に固定結合され、排出管６００が排水管３００に固定結合される場合よりも、使用者が胴部１００を口腔内に入れる作業が非常に便利になり、胴部１００を交換するとき、供給管５００及び排出管６００まで全て交換しなくても良く、維持費用が節減されることができる。
【００３６】
コネクタ４００は、図１に示されたように、給水管２００及び排水管３００の外側端に組み込まれる第１のコネクタ４１０と、第１のコネクタ４１０と着脱可能な構造で結合される第２のコネクタ４２０とを含む。供給管５００は、一側端が第２のコネクタ４２０に組み込まれて給水管２００と連通され、排出管６００は、一側端が第２のコネクタ４２０に組み込まれて排水管３００と連通される。
【００３７】
給水管２００及び排水管３００が供給管５００及び排出管６００と着脱可能な構造で連結されるとき、胴部１００を口腔内に挿入した後に、供給管５００及び排出管６００を連結することができ、胴部１００を口腔内に挿入する過程が容易に行われることができる。また、供給管５００及び排出管６００が共用して使用されることができ、維持費用が節減されることができる。
【００３８】
供給管５００を介して洗浄液を挿入溝１１０に吸入し、挿入溝１１０内の洗浄液及び食べかすを外部に排出させるために、排水管３００の内部流路に真空圧を発生させることができる。この目的のために、排水管３００と連通される排出管６００に空気圧縮機（図示せず）が設置されることができる。使用者がどの程度の大きい力で胴部１００を噛んでいるのか基づいて挿入溝１１０の内部に発生する真空圧の大きさが調節されるように、挿入溝１１０の底面に圧力感知センサ（図示せず）が位置することができる。圧力感知センサは、使用者が歯で噛む力を測定した後に信号を発生させる。空気圧縮機は、圧力感知センサから発生する信号に基づいて真空圧の大きさを増減させるように作動することができる。
【００３９】
口腔洗浄装置に圧力感知センサがさらに含まれる場合、使用者は、胴部１００を噛む力を調節することで、吸入真空圧を自由に調整することができ、使用者が口腔洗浄装置をさらに便利に使用することができる。
【００４０】
図５は、一実施例に係る口腔洗浄装置において、前歯が挿入される部位の垂直断面図であり、図６は、一実施例に係る口腔洗浄装置において、臼歯が挿入される部位の垂直断面図である。
【００４１】
吸入孔１３０から真空圧が発生しても、挿入溝１１０の内部空間が口腔洗浄装置の外部と開通されていると、挿入溝１１０内の洗浄液及び食べかすが効果的に排出され難くなることもある。したがって、挿入溝１１０内に真空圧が確実に発生できるように、口腔洗浄装置は、挿入溝１１０の入口の縁から突出するシーリング部材１４０を含むことができる。シーリング部材１４０は、シリコンのように延性及び弾性を有する翼形状を有することができる。図５及び図６に示されたように、シーリング部材１４０の端が使用者の歯肉に密着するため、挿入溝１１０の内部空間には真空圧が効果的に発生することができ、これによって、挿入溝１１０内の洗浄液及び食べかすの排出効率が向上することができる。
【００４２】
また、使用者が胴部１００を歯で噛むとき、大き過ぎる力で噛むと、歯が損傷する恐れがあるため、挿入溝１１０の底面には弾性部材１５０が備えられることができる。弾性部材１５０は、使用者の歯を保護できるように、基準値以上の弾性を有する材料であれば、いかなる材料で作製されても良いが、シリコンなどのように人体に無害な材料で作製されても良い。
【００４３】
胴部１００の内部において噴射孔１２０が形成された側（図５及び図６では左側）には、複数の噴射孔１２０と連通される第１の内部空間１０２が形成され、胴部１００の内部において吸入孔１３０が形成された側（図５及び図６では右側）には、複数の吸入孔１３０と連通される第２の内部空間１０４が形成されることができる。これによって、給水管２００を介して供給された洗浄液が複数の噴射孔１２０に全て供給されることができる。給水管２００は第１の内部空間１０２に洗浄液が供給されるように連結され、排水管３００は第２の内部空間１０４の内部に真空圧を形成するように連結されるため、第１の内部空間１０２に流入した洗浄液はそれぞれの噴射孔１２０を介して均一な圧力で噴射されることができ、第１の内部空間１０２と連通された複数の吸入孔１３０には均一な真空圧が形成されることができる。胴部１００の内部に第１の内部空間１０２及び第２の内部空間１０４が設けられると、使用者の前歯と臼歯に洗浄液が均一な圧力で噴射及び吸入されることができ、使用者の歯と歯肉の全体が均一に洗浄されることができる。
【００４４】
給水管２００が第１の内部空間１０２に連結される地点と排水管３００が第２の内部空間１０４に連結される地点とが近く設定される場合、給水管２００と排水管３００との間の領域において洗浄液の噴射圧と吸入圧が集中し得るため、給水管２００が第１の内部空間１０２に連結される地点と排水管３００が第２の内部空間１０４に連結される地点とは、できるだけ離れて位置するのが良い。本実施例に示されたように、給水管２００が第１の内部空間１０２の前方側に連結され、排水管３００が対になって備えられて第２の内部空間１０４の左右後方側に連結される場合、噴射圧と吸入圧が集中することを減らすことができる。
【００４５】
図７は、一実施例に係る口腔洗浄装置において、臼歯が挿入される部位の垂直断面図である。
【００４６】
口腔洗浄装置に含まれる噴射孔１２０と吸入孔１３０の位置は、口腔のどの部位を集中して洗浄しようとするのかによって、又は使用者の身体的特性などによって、多様に変更されることができる。
【００４７】
口腔洗浄装置において、噴射孔１２０は、図１乃至図６に示された実施例のように、挿入溝１１０の内壁において歯の外側面に対応する側に形成され、吸入孔１３０は、挿入溝１１０の内壁において歯の内側面に対応する側に形成されることがき、この場合、歯の外側面が重点的に洗浄されることができる。逆に、噴射孔１２０は、挿入溝１１０の内壁において歯の内側面に対応する側に形成され、吸入孔１３０は、挿入溝１１０の内壁において歯の内側面に対応する側に形成されることができ、この場合、歯の内側面が重点的に洗浄されることができる。
【００４８】
さらに、図７に示されたように、噴射孔１２０は、挿入溝１１０の内壁において歯の外側面に対応する側と歯の内側面に対応する側にそれぞれ形成され、吸入孔１３０は、挿入溝１１０の底面に形成されることができ、この場合、歯の外側面と内側面が全て洗浄されることができる。
【００４９】
口腔洗浄装置は、噴射孔１２０を介して噴射される高圧の洗浄水のみで洗浄しても良く、別途の流動部材１６０を介して歯及び歯肉をさらに洗浄しても良い。挿入溝１１０の内壁には使用者の歯に向かって延長され、水の流れによって稼働する複数の流動部材１６０が位置することができる。例えば、流動部材１６０は繊維形状を有することができ、有機材料、無機材料、有無機複合材料で構成されることができる。
【００５０】
流動部材１６０がさらに備えられると、噴射孔１２０を介して高圧の洗浄液が噴射されるとき、流動部材１６０が洗浄液の噴射圧によって動くことができ、これにより、流動部材１６０が使用者の歯及び歯肉に摩擦されることができる。流動部材１６０が使用者の歯及び歯肉をマッサージすることができ、口腔洗浄がさらに向上することができる。
【００５１】
図８は、一実施例に係る口腔洗浄装置において、臼歯が挿入される部位の部分垂直断面図である。
【００５２】
シーリング部材１４０は、図１乃至図７に示されたように、厚さの薄い翼形状に作製されても良く、図８に示されたように、チューブ形状に形成されても良い。シーリング部材１４０は、挿入溝１１０の内部の安定的で効率的な真空圧を形成することができる。
【００５３】
シーリング部材１４０がチューブ形状である場合、シーリング部材１４０と歯肉との間の接触面積が広くなり、密閉がさらに良くなる。シーリング部材１４０を柔らかな材料で作製して使用者の歯肉組織を押すことなく歯肉の形態に応じて柔らかに変更できるため、使用者が痛みを感じずに行うことができる。
【００５４】
図８ではシーリング部材１４０が内部が空洞であるチューブ形状に作製される場合のみを示しているが、シーリング部材１４０は内部が詰まっている棒形状に作製されても良い。
【００５５】
図９は、一実施例に係る口腔洗浄装置の概略図である。
【００５６】
口腔洗浄装置は、洗浄液の噴射方向と吸入方向が変わっても良い。洗浄液の噴射方向と吸入方向の変換は、自動又は手動で行われることができる。
【００５７】
給水管２００は、第１の内部空間１０２と連通される第１の給水管２１０及び第２の給水管２２０に分けられることができる。給水管２００において変換部材７００の近くでのみ第１の給水管２１０及び第２の給水管２２０が分けられ、給水管２００の残りの区間では第１の給水管２１０及び第２の給水管２２０が分けられずに互いに連通されることができる。
【００５８】
排水管３００は、第２の内部空間１０４と連通される第１の排水管３１０及び第２の排水管３２０に分けられることができる。排水管３００において変換部材７００の近くでのみ第１の排水管３１０及び第２の排水管３２０が分けられ、排水管３００の残りの区間では第１の排水管３１０及び第２の排水管３２０が分けられずに互いに連通されることができる。
【００５９】
供給管５００は、第１の給水管２１０と連通される第１の供給管５１０と第２の排水管３２０と連通される第２の供給管５２０に分けられることができる。排出管６００は、第１の排水管３１０と連通される第１の排出管６１０と第２の給水管２２０と連通される第２の排出管６２０に分けられることができる。また、第１の給水管２１０と第２の給水管２２０は上下方向に隣り合うように配列され、第１の排水管３１０と第２の排水管３２０は上下方向に隣り合うように配列され、第１の排水管３１０は第２の給水管２２０の一側に結合され、第２の排水管３２０は第１の給水管２１０の一側に結合されて、図９に示されたように、１つの大きい管が４分割された構造で構成されることができる。
【００６０】
口腔洗浄装置は、変換部材７００をさらに含むことができる。変換部材７００は、給水管２００及び排水管３００と供給管５００及び排出管６００との間に組み込まれ、給水管２００と排水管３００を流れる洗浄液の方向を変換させることができる。例えば、変換部材７００は、給水管２００と排水管３００を選択的に開閉することができる。また、変換部材７００は、給水管２００と排水管３００のいずれかにサクション部材（図示せず）が連結されるようにサクション部材を移動させることができる。変換部材７００は、自転可能に組み込まれ、自転軸を中心に互いに対向する地点に一対の流路孔７１０を含むことができる。変換部材７００の回転角度に応じて第１の給水管２１０と第１の排水管３１０は開放されながら、第２の給水管２２０と第２の排水管３２０は閉鎖されるか、又は、第２の給水管２２０と第２の排水管３２０は開放されながら、第１の給水管２１０と第１の排水管３１０は閉鎖される。
【００６１】
例えば、変換部材７００の流路孔７１０が第１の給水管２１０と第１の排水管３１０にマッチングされるように回転された状態で洗浄水の供給及び真空圧の発生が行われる場合、排出管６００から発生した真空圧は第１の排水管３１０及び第２の内部空間１０４に伝達され、供給管５００を介して提供された洗浄液が第１の給水管２１０に流入することができる。これによって、洗浄液は噴射孔１２０を介して歯に噴射され、挿入溝１１０内に満たされていた洗浄液は吸入孔１３０を介して吸入された後、外部に排出されることができる。図１乃至図６に示された実施例と同様のパターンにより洗浄液の噴射及び排出が行われることができる。
【００６２】
変換部材７００が９０度回転し、図９に示されたように、変換部材７００の流路孔７１０が第２の給水管２２０と第２の排水管３２０にマッチングされるように位置する場合、排出管６００から発生した真空圧は第２の給水管２２０と第１の内部空間１０２に伝達され、供給管５００を介して提供された洗浄液が第２の排水管３２０及び第２の内部空間１０４に流入することができる。これによって、洗浄液は吸入孔１３０を介して歯に噴射され、挿入溝１１０内に満たされていた洗浄液は噴射孔１２０を介して吸入された後、外部に排出されることができる。図１乃至図６に示された実施例と比較して、洗浄液が反対方向に流れる。
【００６３】
図１乃至図６に示された実施例では、洗浄液が歯の外側面のみを洗浄できるのに対して、本実施例では、変換部材７００を操作して洗浄液を正方向に流動させるか、又は、逆方向に流動させることができるため、歯の外側面と内側面を全て洗浄できるようになる。
【００６４】
変換部材７００は、円板形状に限定されず、様々な形状に変更されることができる。変換部材７００は、第１の給水管２１０と第２の給水管２２０と第１の排水管３１０と第２の排水管３２０をそれぞれ独立して開閉させる４つのバルブで構成されても良い。さらに、第１の供給管５１０と第２の供給管５２０と第１の排出管６１０と第２の排出管６２０をそれぞれ独立して制御することで、変換部材７００がなくても、洗浄液の供給経路と真空圧の発生経路を調整することができる。
【００６５】
供給管５００には内側流路に気体を注入するための気体注入孔６３０が形成され、給水管２００に供給される洗浄液に気泡が含まれるように構成されることができる。気泡が含まれた洗浄液が給水管２００に供給されて歯及び歯肉に噴射されるとき、気泡が歯及び歯肉と衝突する過程により洗浄力が向上することができる。
【００６６】
気体注入孔６３０に流入する気体は、空気であっても良く、洗浄力向上成分が含まれた気体であっても良い。また、気体注入孔６３０からの気体の注入は、供給管５００の内部洗浄液の流速により発生する圧力差で行われるように構成されても良く、別途の気体注入装置（図示せず）によって気体が強制的に注入されるように構成されても良い。
【００６７】
図１０は、一実施例に係る口腔洗浄装置の斜視図であり、図１１は、一実施例に係る口腔洗浄装置の水平断面図であり、図１２は、一実施例に係る口腔洗浄装置において、前歯が挿入される真ん中の部位の垂直断面図である。
【００６８】
口腔洗浄装置は、図１乃至図６に示されたように、上歯と下歯を一度に洗浄できるように、使用者の上歯が挿入される上側挿入溝１１２と使用者の下歯が挿入される下側挿入溝１１４が分けられて形成されることができる。また、図１０乃至図１２に示されたように、上歯のみが挿入されるように挿入溝１１０が胴部１００の上部のみに形成されるか、又は、下歯のみが挿入されるように挿入溝１１０が胴部１００の下部のみに形成されることができる。
【００６９】
挿入溝１１０が胴部１００の上部のみに形成されると、使用者が上歯と下歯のいずれか一側のみを選択的に洗浄することができ、活用度が高まり、さらに、胴部１００の全体の厚さが薄くなるため、下顎の回転角度が低い人でも胴部１００を容易に口腔内に挿入することができ、使用者が口腔洗浄装置を便利に使用できるようになる。
【００７０】
また、胴部１００の上面と下面の両方に挿入溝１１０を形成すると、図１に示されたように、排水管３００を胴部１００の側面に配列せざるを得ないため、胴部１００の全体の幅が増加し、よって、口が小さい使用者は、胴部１００を口腔の内部に挿入することが難しくなる。しかしながら、挿入溝１１０が胴部１００の上面のみに形成される場合、図１２に示されたように、排水管３００を胴部１００の下に配列させることができ、胴部１００の全体の幅が減少し、これにより、口が小さい人でも胴部１００を容易に口腔内に挿入することができる。
【００７１】
以上、本発明の好ましい実施例について詳細に説明したが、本発明の権利範囲はこれに限定されず、次の特許請求の範囲で定義している本発明の基本概念を用いた当業者の様々な変更及び改良の形態も本発明の権利範囲に属する。
【図１】
2017506138.tif 000003
【図２】
2017506138.tif 000004
【図３】
2017506138.tif 000005
【図４】
2017506138.tif 000006
【図５】
2017506138.tif 000007
【図６】
2017506138.tif 000008
【図７】
2017506138.tif 000009
【図８】
2017506138.tif 000010
【図９】
2017506138.tif 000011
【図１０】
2017506138.tif 000012
【図１１】
2017506138.tif 000013
【図１２】
2017506138.tif 000014
【国際調査報告】
2017506138.tif 000015
2017506138.tif 000016
2017506138.tif 000017
2017506138.tif 000018